(57)【特許請求の範囲】
【請求項１】
無線通信のための方法であって、
サービス提供セルから送信された同期信号を備えるコンポジット信号を受信することと、
少なくとも１つの近隣セルから送信された少なくとも１つの他の同期信号を、前記コンポジット信号において検出することと、
前記少なくとも１つの他の同期信号を再構築することと、
前記コンポジット信号からのエッジ・トーンおよび中央トーンを、前記再構築された同期信号と結合することによって、結合信号を生成することと、
前記サービス提供セルからの同期信号を取得するために、前記コンポジット信号から、前記結合信号を除去することと、
を備える方法。
【請求項２】
前記同期信号は、一次同期信号（ＰＳＳ）または二次同期信号（ＳＳＳ）のうちの少なくとも１つを備える、請求項１に記載の方法。
【請求項３】
前記再構築は、時間領域において実行される、請求項１に記載の方法。
【請求項４】
前記少なくとも１つの他の同期信号を時間領域において再構築することは、逆高速フーリエ変換（ＩＦＦＴ）を実行することを備える、請求項３に記載の方法。
【請求項５】
前記結合信号が生成された場合、サイクリック・プレフィクス（ＣＰ）を追加すること
をさらに備える、請求項１に記載の方法。
【請求項６】
前記結合することは、時間領域において実行される、請求項１に記載の方法。
【請求項７】
前記結合することは、周波数領域において実行される、請求項１に記載の方法。
【請求項８】
結合されたエッジ・トーンの数は、高速フーリエ変換（ＦＦＴ）サイズに依存する、請求項１に記載の方法。
【請求項９】
無線通信のための装置であって、
サービス提供セルから送信された同期信号を備えるコンポジット信号を受信する手段と、
少なくとも１つの近隣セルから送信された少なくとも１つの他の同期信号を、前記コンポジット信号において検出する手段と、
前記少なくとも１つの他の同期信号を再構築する手段と、
前記コンポジット信号からのエッジ・トーンおよび中央トーンを、前記再構築された同期信号と結合することによって、結合信号を生成する手段と、
前記サービス提供セルからの同期信号を取得するために、前記コンポジット信号から、前記結合信号を除去する手段と、
を備える装置。
【請求項１０】
前記同期信号は、一次同期信号（ＰＳＳ）または二次同期信号（ＳＳＳ）のうちの少なくとも１つを備える、請求項９に記載の装置。
【請求項１１】
前記再構築は、時間領域において実行される、請求項９に記載の装置。
【請求項１２】
前記少なくとも１つの他の同期信号を時間領域において再構築する手段は、逆高速フーリエ変換（ＩＦＦＴ）を実行する手段を備える、請求項１１に記載の装置。
【請求項１３】
前記結合信号が生成された場合、サイクリック・プレフィクス（ＣＰ）を追加する手段、をさらに備える請求項９に記載の装置。
【請求項１４】
前記結合することは、時間領域において実行される、請求項９に記載の装置。
【請求項１５】
前記結合することは、周波数領域において実行される、請求項９に記載の装置。
【請求項１６】
結合されたエッジ・トーンの数は、高速フーリエ変換（ＦＦＴ）サイズに依存する、請求項９に記載の装置。
【請求項１７】
無線通信のための装置であって、
サービス提供セルから送信された同期信号を備えるコンポジット信号を受信し、
少なくとも１つの近隣セルから送信された少なくとも１つの他の同期信号を、前記コンポジット信号において検出し、
前記少なくとも１つの他の同期信号を再構築し、
前記コンポジット信号からのエッジ・トーンおよび中央トーンを、前記再構築された同期信号と結合することによって、結合信号を生成し、
前記サービス提供セルからの同期信号を取得するために、前記コンポジット信号から、前記結合信号を除去する、
ように構成された少なくとも１つのプロセッサ、
を備える装置。
【請求項１８】
前記同期信号は、一次同期信号（ＰＳＳ）または二次同期信号（ＳＳＳ）のうちの少なくとも１つを備える、請求項１７に記載の装置。
【請求項１９】
前記再構築するように構成された少なくとも１つのプロセッサは、時間領域において実行される、請求項１７に記載の装置。
【請求項２０】
前記少なくとも１つの他の同期信号を時間領域において再構築するように構成された少なくとも１つのプロセッサは、逆高速フーリエ変換（ＩＦＦＴ）を実行することを備える、請求項１９に記載の装置。
【請求項２１】
前記少なくとも１つのプロセッサは、前記結合信号が生成された場合、サイクリック・プレフィクス（ＣＰ）を追加するように構成された、請求項１７に記載の装置。
【請求項２２】
前記結合することは、時間領域において実行される、請求項１７に記載の装置。
【請求項２３】
前記結合することは、周波数領域において実行される、請求項１７に記載の装置。
【請求項２４】
結合されたエッジ・トーンの数は、高速フーリエ変換（ＦＦＴ）サイズに依存する、請求項１７に記載の装置。
【請求項２５】
サービス提供セルから送信された同期信号を備えるコンポジット信号を受信するためのコードと、
少なくとも１つの近隣セルから送信された少なくとも１つの他の同期信号を、前記コンポジット信号において検出するためのコードと、
前記少なくとも１つの他の同期信号を再構築するためのコードと、
前記コンポジット信号からのエッジ・トーンおよび中央トーンを、前記再構築された同期信号と結合することによって、結合信号を生成するためのコードと、
前記サービス提供セルからの同期信号を取得するために、前記コンポジット信号から、前記結合信号を除去するためのコードと、
を記録したコンピュータ読取可能な記録媒体。
【請求項２６】
前記同期信号は、一次同期信号（ＰＳＳ）または二次同期信号（ＳＳＳ）のうちの少なくとも１つを備える、請求項２５に記載のコンピュータ読取可能な記録媒体。
【請求項２７】
前記再構築は、時間領域において実行される、請求項２５に記載のコンピュータ読取可能な記録媒体。
【請求項２８】
前記少なくとも１つの他の同期信号を時間領域において再構築するためのコードは、逆高速フーリエ変換（ＩＦＦＴ）を実行するためのコードを備える、請求項２７に記載のコンピュータ読取可能な記録媒体。
【請求項２９】
前記結合信号が生成された場合、サイクリック・プレフィクス（ＣＰ）を追加するためのコードをさらに記録した、請求項２５に記載のコンピュータ読取可能な記録媒体。
【請求項３０】
前記結合することは、時間領域において実行される、請求項２５に記載のコンピュータ読取可能な記録媒体。
【請求項３１】
前記結合することは、周波数領域において実行される、請求項２５に記載のコンピュータ読取可能な記録媒体。
【請求項３２】
前記結合されたエッジ・トーンの数は、高速フーリエ変換（ＦＦＴ）サイズに依存する、請求項２５に記載のコンピュータ読取可能な記録媒体。
【発明の詳細な説明】
【優先権主張】
【０００１】
本特許出願は、本願の譲受人に譲渡され、本明細書において参照によって明確に組み込まれている２０１０年４月８日出願の「ＰＳＳおよびＳＳＳの干渉除去の実施」（Implementation of PSS and SSS interference cancelation）と題された米国仮特許出願６１／３２２，２２３号の利益を要求する。
【技術分野】
【０００２】
本開示のある態様は、一般に、無線通信に関し、さらに詳しくは、サービス提供セルから同期信号を取得する際に、時間領域除去を適用するための方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムを含みうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、ロング・ターム・イボリューション・アドバンスト（ＬＴＥ−Ａ）システム、および直交周波数分割多元接続（ＯＦＤＭＡ）システムを含む。
【０００４】
通常、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【発明の概要】
【０００５】
３ＧＰＰリリース（Ｒｅｌ）８では、一次同期信号（ＰＳＳ）および二次同期信号（ＳＳＳ）は、例えば、ＬＴＥ−Ａシステムの中央の６２トーンを占有する６つのリソース・ブロック（すなわち、サブキャリア）で送信されうる。ここで、中央トーンは、スキップされうる。同期ネットワークでは、セルは、それぞれのＰＳＳおよびＳＳＳを、同じ周波数で同時に送信しうる。ここで、強いセルは、弱いセルをますます弱くしうる。しかしながら、強いセルは、特にヘテロジニアスなネットワークにおいて、ユーザ機器（ＵＥ）のためのサービス提供セルではないことがありうる。従来、高度な受信機技術である干渉除去が使用されている。ここでは、ＵＥは、先ず、強いセルを発見し、サービス提供セルを発見するために、これらをキャンセル・アウトしうる。しかしながら、伝搬遅延および同期の不確実性により同期ネットワークにおいてでさえも、セル内にタイミング・オフセットが存在しうる。したがって、時間領域除去を適用することによって、異なるセル間のタイミング・オフセットの改善されたハンドリング提供するシステムおよび方法が開示される。
【０００６】
本開示のある態様は、無線通信のための方法を提供する。この方法は一般に、サービス提供セルから送信された同期信号を備えるコンポジット信号を受信することと、少なくとも１つの近隣セルから送信された少なくとも１つの他の同期信号を、コンポジット信号において検出することと、この少なくとも１つの他の同期信号を再構築することと、コンポジット信号からのエッジ・トーンおよび中央トーンを、再構築された同期信号と結合することによって、結合信号を生成することと、サービス提供セルからの同期信号を取得するために、コンポジット信号から、結合信号を除去することとを含む。
【０００７】
本開示のある態様は、無線通信のための装置を提供する。装置は一般に、サービス提供セルから送信された同期信号を備えるコンポジット信号を受信する手段と、少なくとも１つの近隣セルから送信された少なくとも１つの他の同期信号を、コンポジット信号において検出する手段と、この少なくとも１つの他の同期信号を再構築する手段と、コンポジット信号からのエッジ・トーンおよび中央トーンを、再構築された同期信号と結合することによって、結合信号を生成する手段と、サービス提供セルからの同期信号を取得するために、コンポジット信号から、結合信号を除去する手段とを含む。
【０００８】
本開示のある態様は、無線通信のための装置を提供する。この装置は一般に、サービス提供セルから送信された同期信号を備えるコンポジット信号を受信し、少なくとも１つの近隣セルから送信された少なくとも１つの他の同期信号を、コンポジット信号において検出し、この少なくとも１つの他の同期信号を再構築し、コンポジット信号からのエッジ・トーンおよび中央トーンを、再構築された同期信号と結合することによって、結合信号を生成し、サービス提供セルからの同期信号を取得するために、コンポジット信号から、結合信号を除去する、ように構成された少なくとも１つのプロセッサを含む。
【０００９】
ある態様は、無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、サービス提供セルから送信された同期信号を備えるコンポジット信号を受信するためのコード、少なくとも１つの近隣セルから送信された少なくとも１つの他の同期信号を、コンポジット信号において検出するためのコードと、この少なくとも１つの他の同期信号を再構築するためのコードと、コンポジット信号からのエッジ・トーンおよび中央トーンを、再構築された同期信号と結合することによって、結合信号を生成するためのコードと、サービス提供セルからの同期信号を取得するために、コンポジット信号から、結合信号を除去するためのコードとを含む。
【００１０】
本開示のさまざまな態様および特徴が、以下にさらに詳細に記載される。
【図面の簡単な説明】
【００１１】
本開示の上述した特徴が、より詳細に理解される方式で、簡潔に要約された上記具体的な記載が、態様に対する参照によってなされている。そして、それらの幾つかは、添付図面で例示されている。
【００１２】
しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末の例のブロック図を例示する。
【図３】図３は、本開示のある態様にしたがって無線デバイス内で利用されうるさまざまな構成要素を例示する。
【図４】図４は、本開示のある態様にしたがって時間領域除去を実行するための動作の例を例示する。
【図４Ａ】図４Ａは、図４において例示された動作を実行することが可能な構成要素の例を例示する。
【図５Ａ】図５Ａは、図４に例示された動作にしたがう同期信号の処理を例示する。
【図５Ｂ】図５Ｂは、図４に例示された動作にしたがう同期信号の処理を例示する。
【図５Ｃ】図５Ｃは、図４に例示された動作にしたがう同期信号の処理を例示する。
【図５Ｄ】図５Ｄは、図４に例示された動作にしたがう同期信号の処理を例示する。
【発明を実施するための形態】
【００１３】
本開示のさまざまな態様は、添付図面を参照して以下により十分に記載される。しかしながら、本開示は、異なる多くの形態で具体化され、本開示を通じて示されたどの具体的な構成または機能にも限定されるものとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１４】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１５】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、そのうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１６】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えばイボルブドＵＴＲＡ（Ｅ−ＵＴＲＡ）、ＩＥＥＥ  ８０２．１６、ＩＥＥＥ  ８０２．１６、ＩＥＥＥ  ８０２．２０、フラッシュＯＦＤＭ（登録商標）等のようなラジオ技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。
【００１７】
シングル・キャリア周波数分割多元接続（ＳＣ−ＦＤＭＡ）は、送信機側においてシングル・キャリア変調を利用し、受信機側において周波数領域等値化を利用する技術である。ＳＣ−ＦＤＭＡは、ＯＦＤＭＡシステムと同様の性能および同じ全体複雑さを有する。しかしながら、ＳＣ−ＦＤＭＡ信号は、その固有のシングル・キャリア構造のために、より低い平均ピーク対電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰ  ＬＴＥおよびイボルブドＵＴＲＡにおけるアップリンク多元接続スキームのための動作前提である。
【００１８】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００１９】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタティメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２０】
図１に示すように、１つの態様にしたがった多元接続無線通信システムが例示される。アクセス・ポイント１００（ＡＰ）は、１つのグループはアンテナ１０４，１０６を含み、別のグループはアンテナ１０８，１１０を含み、さらに別のグループはアンテナ１１２，１１４を含む複数のアンテナ・グループを含みうる。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信している。ここで、アンテナ１１２，１１４は、順方向リンク１２０でアクセス端末１１６へ情報を送信し、逆方向リンク１１８でアクセス端末１１６から情報を受信する。アクセス端末１２２（ＡＴ）はアンテナ１０６，１０８と通信している。ここで、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００２１】
通信するように設計された領域および／またはアンテナのおのおののグループは、しばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００２２】
順方向リンク１２０，１２６による通信では、アクセス・ポイント１００の送信アンテナは、別のアクセス端末１１６，１２２のための順方向リンクの信号対雑音比を改善するために、ビームフォーミングを利用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣セル内のアクセス端末に対して少ない干渉しかもたらさない。
【００２３】
図２は、複数入力複数出力（ＭＩＭＯ）システム２００における（アクセス・ポイントとしても知られている）送信機システム２１０および（アクセス端末としても知られている）受信機システム２５０の態様のブロック図である。送信機システム２１０では、多くのデータ・ストリームのトラフィック・データが、データ・ソース２１２から送信（ＴＸ）データ・プロセッサ２１４に提供される。
【００２４】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。メモリ２３２は、送信機システム２１０のためのデータおよびソフトウェアを格納しうる。
【００２６】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００２７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００２９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０はその後、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３０】
プロセッサ２７０は、前述したように、どのプリコーディング行列を使用するのかを定期的に決定する。さらに、プロセッサ２７０は、行列インデクス部およびランク値部を備えた逆方向リンク・メッセージを規定する。メモリ２７２は、受信機システム２５０のためのデータおよびソフトウェアを格納しうる。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３１】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３２】
図３は、図１に例示される無線通信システム内で適用されうる無線デバイス３０２内で利用できるさまざまな構成要素を示す。無線デバイス３０２は、本明細書で説明されるさまざまな方法を実施するために構成され得るデバイスの例である。無線デバイス３０２は、ユーザ端末１１６，１２２のうちの何れか、または基地局１００を含みうる。
【００３３】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３４】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３５】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００３６】
無線デバイス３０２のさまざまな構成要素が、データ・バスに加えて電力バス、制御信号バス、およびステータス信号バスを含むことができるバス・システム３２２によってともに結合されうる。
【００３７】
（同期信号検出のためにエッジ信号を用いる干渉除去）  
３ＧＰＰリリース（Ｒｅｌ）８では、一次同期信号（ＰＳＳ）および二次同期信号（ＳＳＳ）は、例えば、ＬＴＥ−Ａシステムにおける中央の６２のトーンを占有する６つのリソース・ブロック（すなわち、サブキャリア）で送信されうる。ここで、中央のサブキャリアはスキップされうる。したがって、これら同期信号は、中央のサブキャリアの何れかの側における３１のサブキャリアで送信されうる。同期ネットワークでは、セルは、同じ周波数で同時にそれぞれのＰＳＳおよびＳＳＳを送信しうる。ここで、強いセルは、弱いセルをますます弱くしうる。しかしながら、強いセルは、特にヘテロジニアスなネットワークでは、ユーザ機器（ＵＥ）のためのサービス提供セルではないことがありうる。さらに、伝播遅延および同期不確実性により、タイミング・オフセットは、同期ネットワークにおいてでさえ、セル内に存在しうる。本開示のある態様は、時間領域除去を適用することにより、さまざまなセル間のタイミング・オフセットの改善された取り扱いを提供する。
【００３８】
図４は、本開示のある態様にしたがって時間領域除去を実行するための動作４００を例示する。動作４００は、例えば、時間領域除去を実行するために、受信機システム（例えば、ＵＥ）によって実行されうる。
【００３９】
４０２において、ＵＥは、サービス提供セルから送信された同期信号を備えるコンポジット信号を受信しうる。コンポジット信号は、サービス提供セルと少なくとも１つの非サービス提供セルとの両方を含む複数のセルからのシグナリングを含みうる。
【００４０】
４０４において、ＵＥは、コンポジット信号において、少なくとも１つの近隣の非サービス提供セルから送信された少なくとも１つの同期信号を検出しうる。同期信号は、一次同期信号（ＰＳＳ）または二次同期信号（ＳＳＳ）のうちの少なくとも１つを備え、限定される訳ではないが、ＵＥをサービス提供セルと同期させるために十分な信号を含みうる。
【００４１】
４０６において、ＵＥは、少なくとも１つの他の同期信号を再構築しうる。例えば、再構築は、受信機システム２５０のＲＸデータ・プロセッサ２６０によって実行されうる。逆高速フーリエ変換（ＩＦＦＴ）は、少なくとも１つの同期信号を、時間領域において再構築するために実行されうる。
【００４２】
４０８において、ＵＥは、コンポジット信号からの中央トーンおよびエッジ・トーンを、再構築された同期信号と結合することによって、結合信号を生成しうる。この結合信号は、有用な６２のトーン外の信号がヌル・アウトされることを保証するために、信号再構築のための適切な周波数領域フィルタとして役立ちうる。いくつかの実施形態では、結合信号を生成する際に、サイクリック・プレフィクス（ＣＰ）が追加されうる。いくつかの実施形態では、この結合は、時間領域において実行されうる。他の実施形態では、この結合は、周波数領域において実行されうる。結合されたエッジ・トーンの数は、高速フーリエ変換（ＦＦＴ）サイズに依存しうる。
【００４３】
４１０において、ＵＥは、サービス提供セルからの同期信号を取得するために、コンポジット信号から、（時間領域除去を用いて、）結合信号を除去しうる。
【００４４】
図４において例示される動作４００は、図４Ａにおいて例示される手段４００Ａに対応する。コンポジット信号受信機４０２Ａは、サービス提供セルから送信された同期信号を備えるコンポジット信号を受信しうる（ステップ４０２）。同期信号検出器４０４Ａは、コンポジット信号において、少なくとも１つの近隣の非サービス提供セルから送信された少なくとも１つの同期信号を検出しうる（ステップ４０４）。同期信号再生成器４０６Ａは、少なくとも１つの他の同期信号を再構築しうる（ステップ４０６）。エッジ・トーン・アイソレータ４０８Ａは、コンポジット信号からエッジ・トーンおよび中央トーンを分離しうる。４１０Ａでは、エッジ・トーンおよび中央トーンが、再構築された同期信号と結合されることによって結合信号が生成されうる（ステップ４０８）。４１２Ａでは、サービス提供セルから同期信号を取得するために、コンポジット信号から、結合信号が除去されうる（ステップ４１０）。
【００４５】
図５Ａ−図５Ｄは、動作４００の例にしたがって、ＵＥによって受信された同期信号の処理を例示する。図５Ａに例示されるように、ＵＥは、複数のセルから送信されたエッジ・トーン５０４と同期信号５０２とを含むコンポジット信号５００を受信する。例示によれば、コンポジット信号５００は、６つのリソース・ブロックで送信される。ここでは、同期信号５０２が、リソース・ブロックの中央の６２のサブキャリア（すなわち、トーン）を占有する。同期ネットワークでは、セルは、同じ周波数で同時にそれぞれの同期信号（例えば、ＰＳＳおよびＳＳＳ）を送信しうるので、強いセルは、弱いセルをますます弱くしうる（例えば、複数のセルから送信された同期信号５０２を参照されたい）。
【００４６】
しかしながら、前述したように、検出された強いセルは、特にヘテロジニアスなネットワークでは、ＵＥのために望まれるサービス提供セルを含まない場合がありうる。
【００４７】
図５Ｂに例示されるように、ＵＥは、コンポジット信号において、少なくとも１つの近隣セルから送信された少なくとも１つの同期信号５０６を検出する。同期信号は、ＰＳＳまたはＳＳＳのうちの少なくとも１つを備えうる。ＵＥは、少なくとも１つの他の同期信号５０６を再構築しうる。例えば、逆高速フーリエ変換（ＩＦＦＴ）は、同期信号を、時間領域において再構築するために実行されうる。
【００４８】
図５Ｃにおいて例示されるように、ＵＥは、コンポジット信号５００で受信されたエッジ・トーン５０４および中央トーン（図示せず）を、再構築された同期信号５０６と結合することによって、結合信号５０７を生成する。これは、同期信号のトーン外の信号がヌル・アウトされることを保証するために、信号再構築のために適切な周波数領域フィルタとして役立ちうる。いくつかの実施形態では、この結合は、時間領域において実行されうる。他の実施形態では、この結合は、（例えば、ＩＦＦＴを実行する前に）周波数領域で実行されうる。その後ＵＥは、図５Ｄに例示されるように、サービス提供セルからの同期信号５０８を取得するために、コンポジット信号５００から結合信号５０７を除去（すなわち、時間領域除去）しうる。
【００４９】
本開示のある態様は、時間領域除去を適用することによって、異なるセル間のタイミング・オフセットの、改善された取り扱いを提供する。さらに、エッジ・トーンおよび中央トーンで受信された信号をコピーすることを伴う周波数領域再構築は、エッジ・トーンおよび中央トーンを単にゼロ・パディングすることと比較して、改善されたパフォーマンスを有しうる。例えば、特定のセルのＵＥによる検出の可能性は、時間領域除去を適用した場合、エッジ・トーンと中央トーンとを、同期信号と結合することによって増加しうる。
【００５０】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、対応するｍｅａｎｓ−ｐｕｌｓ−ｆｕｃｔｉｏｎ構成要素を有しうる。
【００５１】
本明細書で使用される場合、用語「判定すること（determining）」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を含むことができる。
【００５２】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００５３】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能的手段によって実行されうる。
【００５４】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサを含みうるが、代替案では、プロセッサを、任意の市販のプロセッサ、コントローラ、マイクロコントローラ、または順序回路を含みうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５５】
本開示に関連して説明された方法またはアルゴリズムのステップを、ハードウェアで直接的に、プロセッサによって実行されるソフトウェア・モジュールによって、またはこの２つの組合せによって実現されうる。ソフトウェア・モジュールは、当該技術分野において周知のすべての形式の記憶媒体に常駐しうる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００５６】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００５７】
記載された機能は、ハードウェア、ソフトウェア、ファームウェア、あるいは、これらの任意の組み合わせによって実現されうる。ソフトウェアで実現される場合、これら機能は、コンピュータ読取可能な媒体に、１または複数の命令群として格納される。記憶媒体は、コンピュータによってアクセスされうる利用可能な任意の媒体を含みうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００５８】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００５９】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６０】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００６１】
特許請求の範囲は、前述した正確な構成および構成要素に限定されないことを理解されたい。さまざまな修正、変形、および変更が、特許請求の範囲のスコープから逸脱することなく、上述した方法および装置の構成、動作、および詳細においてなされうる。
【００６２】
前述したものは、本開示の態様に向けられているが、これら開示のその他およびさらな
る態様が、本願の基本的な範囲から逸脱することなく考案され、この範囲は、以下に示す
特許請求の範囲によって決定される。
なお、以下に、出願当初の特許請求の範囲に記載された発明を付記する。
［Ｃ１］
無線通信のための方法であって、
サービス提供セルから送信された同期信号を備えるコンポジット信号を受信することと
、
少なくとも１つの近隣セルから送信された少なくとも１つの他の同期信号を、前記コンポジット信号において検出することと、
前記少なくとも１つの他の同期信号を再構築することと、
前記コンポジット信号からのエッジ・トーンおよび中央トーンを、前記再構築された同期信号と結合することによって、結合信号を生成することと、
前記サービス提供セルからの同期信号を取得するために、前記コンポジット信号から、前記結合信号を除去することと、
を備える方法。
［Ｃ２］
前記同期信号は、一次同期信号（ＰＳＳ）または二次同期信号（ＳＳＳ）のうちの少なくとも１つを備える、Ｃ１に記載の方法。
［Ｃ３］
前記再構築は、時間領域において実行される、Ｃ１に記載の方法。
［Ｃ４］
前記少なくとも１つの他の同期信号を時間領域において再構築することは、逆高速フーリエ変換（ＩＦＦＴ）を実行することを備える、Ｃ３に記載の方法。
［Ｃ５］
前記結合信号が生成された場合、サイクリック・プレフィクス（ＣＰ）を追加することをさらに備える、Ｃ１に記載の方法。
［Ｃ６］
前記結合することは、時間領域において実行される、Ｃ１に記載の方法。
［Ｃ７］
前記結合することは、周波数領域において実行される、Ｃ１に記載の方法。
［Ｃ８］
結合されたエッジ・トーンの数は、高速フーリエ変換（ＦＦＴ）サイズに依存する、請求項１に記載の方法。
［Ｃ９］
無線通信のための装置であって、
サービス提供セルから送信された同期信号を備えるコンポジット信号を受信する手段と、
少なくとも１つの近隣セルから送信された少なくとも１つの他の同期信号を、前記コンポジット信号において検出する手段と、
前記少なくとも１つの他の同期信号を再構築する手段と、
前記コンポジット信号からのエッジ・トーンおよび中央トーンを、前記再構築された同期信号と結合することによって、結合信号を生成する手段と、
前記サービス提供セルからの同期信号を取得するために、前記コンポジット信号から、前記結合信号を除去する手段と、
を備える装置。
［Ｃ１０］
前記同期信号は、一次同期信号（ＰＳＳ）または二次同期信号（ＳＳＳ）のうちの少なくとも１つを備える、Ｃ９に記載の装置。
［Ｃ１１］
前記再構築は、時間領域において実行される、Ｃ９に記載の装置。
［Ｃ１２］
前記少なくとも１つの他の同期信号を時間領域において再構築する手段は、逆高速フーリエ変換（ＩＦＦＴ）を実行する手段を備える、Ｃ１１に記載の装置。
［Ｃ１３］
前記結合信号が生成された場合、サイクリック・プレフィクス（ＣＰ）を追加する手段、をさらに備えるＣ９に記載の装置。
［Ｃ１４］
前記結合することは、時間領域において実行される、Ｃ９に記載の装置。
［Ｃ１５］
前記結合することは、周波数領域において実行される、Ｃ９に記載の装置。
［Ｃ１６］
結合されたエッジ・トーンの数は、高速フーリエ変換（ＦＦＴ）サイズに依存する、請求項９に記載の装置。
［Ｃ１７］
無線通信のための装置であって、
サービス提供セルから送信された同期信号を備えるコンポジット信号を受信し、
少なくとも１つの近隣セルから送信された少なくとも１つの他の同期信号を、前記コンポジット信号において検出し、
前記少なくとも１つの他の同期信号を再構築し、
前記コンポジット信号からのエッジ・トーンおよび中央トーンを、前記再構築された同期信号と結合することによって、結合信号を生成し、
前記サービス提供セルからの同期信号を取得するために、前記コンポジット信号から、前記結合信号を除去する、
ように構成された少なくとも１つのプロセッサ、
を備える装置。
［Ｃ１８］
前記同期信号は、一次同期信号（ＰＳＳ）または二次同期信号（ＳＳＳ）のうちの少なくとも１つを備える、Ｃ１７に記載の装置。
［Ｃ１９］
前記再構築するように構成された少なくとも１つのプロセッサは、時間領域において実行される、Ｃ１７に記載の装置。
［Ｃ２０］
前記少なくとも１つの他の同期信号を時間領域において再構築するように構成された少なくとも１つのプロセッサは、逆高速フーリエ変換（ＩＦＦＴ）を実行することを備える、Ｃ１９に記載の装置。
［Ｃ２１］
前記少なくとも１つのプロセッサは、前記結合信号が生成された場合、サイクリック・プレフィクス（ＣＰ）を追加するように構成された、Ｃ１７に記載の装置。
［Ｃ２２］
前記結合することは、時間領域において実行される、Ｃ１７に記載の装置。
［Ｃ２３］
前記結合することは、周波数領域において実行される、Ｃ１７に記載の装置。
［Ｃ２４］
結合されたエッジ・トーンの数は、高速フーリエ変換（ＦＦＴ）サイズに依存する、請求項１７に記載の装置。
［Ｃ２５］
コンピュータ・プログラム製品であって、
サービス提供セルから送信された同期信号を備えるコンポジット信号を受信するためのコードと、
少なくとも１つの近隣セルから送信された少なくとも１つの他の同期信号を、前記コンポジット信号において検出するためのコードと、
前記少なくとも１つの他の同期信号を再構築するためのコードと、
前記コンポジット信号からのエッジ・トーンおよび中央トーンを、前記再構築された同期信号と結合することによって、結合信号を生成するためのコードと、
前記サービス提供セルからの同期信号を取得するために、前記コンポジット信号から、前記結合信号を除去するためのコードと、
を備えるコンピュータ読取可能な媒体、
を備えるコンピュータ・プログラム製品。
［Ｃ２６］
前記同期信号は、一次同期信号（ＰＳＳ）または二次同期信号（ＳＳＳ）のうちの少なくとも１つを備える、Ｃ２５に記載のコンピュータ・プログラム製品。
［Ｃ２７］
前記再構築は、時間領域において実行される、Ｃ２５に記載のコンピュータ・プログラム製品。
［Ｃ２８］
前記少なくとも１つの他の同期信号を時間領域において再構築するためのコードは、逆高速フーリエ変換（ＩＦＦＴ）を実行するためのコードを備える、Ｃ２７に記載のコンピュータ・プログラム製品。
［Ｃ２９］
前記結合信号が生成された場合、サイクリック・プレフィクス（ＣＰ）を追加するためのコードをさらに備える、Ｃ２５に記載のコンピュータ・プログラム製品。
［Ｃ３０］
前記結合することは、時間領域において実行される、Ｃ２５に記載のコンピュータ・プログラム製品。
［Ｃ３１］
前記結合することは、周波数領域において実行される、Ｃ２５に記載のコンピュータ・プログラム製品。
［Ｃ３２］
前記結合されたエッジ・トーンの数は、高速フーリエ変換（ＦＦＴ）サイズに依存する、Ｃ２５に記載のコンピュータ・プログラム製品。
【図１】
0005503077.tif 000002
【図２】
0005503077.tif 000003
【図３】
0005503077.tif 000004
【図４Ａ】
0005503077.tif 000005
【図５Ａ】
0005503077.tif 000006
【図５Ｂ】
0005503077.tif 000007
【図５Ｃ】
0005503077.tif 000008
【図５Ｄ】
0005503077.tif 000009
【図４】
0005503077.tif 000010